(57)【要約】【課題】足の動きに沿った屈曲性により歩行性およびフィット感を向上させた靴底を提供する。【解決手段】靴底１０の底面の前足部１２に、内側領域から外側領域に延びる第1溝１４と、第1溝の後方に位置し、内側領域から外側領域に延びる第２溝１６とを有し、第1溝および第２溝は、いずれも、内側領域より外側領域の方が幅広である靴底とする。【選択図】図１
2014050513.tif 000002
【特許請求の範囲】
【請求項１】
靴底の底面の前足部に、内側領域から外側領域に延びる第1溝と、前記第1溝の後方に位置し、内側領域から外側領域に延びる第２溝とを有し、前記第1溝は内側領域より外側領域の方が幅広であり、前記第２溝は内側領域より外側領域の方が幅広であることを特徴とする靴底。
【請求項２】
前記第1溝の内端部の幅をＡ、外端部の幅をＢ、前記第２溝の内端部の幅をＣ、外端部の幅をＤとしたときに、Ｄ＞Ｃ＞Ｂ＞Ａの関係を有することを特徴とする請求項１に記載の靴底。
【請求項３】
前記第1溝の内端部の幅をＡ、外端部の幅をＢ、前記第２溝の内端部の幅をＣ、外端部の幅をＤとしたときに、Ｄ＞Ｂ＞Ｃ＞Ａの関係を有することを特徴とする請求項１に記載の靴底。
【請求項４】
前記第２溝の中心線は、靴底の最前端箇所と最後端箇所とを結ぶ仮想線に直交する線に対する傾斜角度が１０〜１５°であることを特徴とする請求項１〜３のいずれか１項に記載の靴底。
【請求項５】
前記第1溝に第1屈曲性調整部材が嵌め込まれ、前記第２溝に第２屈曲性調整部材が嵌め込まれているとともに、前記第1屈曲性調整部材は内側領域より外側領域の方が幅広であり、前記第２屈曲性調整部材は内側領域より外側領域の方が幅広であることを特徴とする請求項請求項１〜４のいずれか１項に記載の靴底。
【請求項６】
前記第1屈曲性調整部材の内側領域および外側領域ならびに前記第２屈曲性調整部材の内側領域および外側領域の底面に、それぞれ内外方向に沿った溝が設けられていることを特徴とする請求項５に記載の靴底。
【請求項７】
前記第1屈曲性調整部材および第２屈曲性調整部材は、前記第1溝および第２溝の外方部まで広がっていることを特徴とする請求項５または６に記載の靴底。
【請求項８】
請求項１〜７のいずれか１項に記載の靴底を装着したことを特徴とする靴。
【発明の詳細な説明】
【技術分野】
【０００１】
本発明は、靴底の底面に溝を形成することにより、歩行性およびフィット感を向上させた靴底およびそれを用いた靴に関する。
【背景技術】
【０００２】
従来、靴底の底面に溝を形成することにより、靴底の屈曲性および接地性を高めたゴルフシューズとして、下記ウェブサイト（非特許文献１）に開示されたものがある（商品名：フットジョイ  ＤｒｙＪｏｙｓ  Ｔｏｕｒ  Ｂｏａ）。
【０００３】
上記ゴルフシューズの靴底は、図５に示すように、アウトソールの底面の前足部（踏付け部および爪先部を含む部分）に内外方向に沿った溝１００、１０２および前後方向に沿った溝１０４を設け、アウトソールの底面の後足部（踵部を含む部分）に前後方向に沿った溝１０６を設けたものである。上記前足部の溝１００、１０２、１０４は繋がっている。また、前足部の溝１００、１０２、１０４には１枚のプラスチック製カバー材１０８が嵌め込まれているとともに、後足部の溝１０６にも１枚のプラスチック製カバー材１１０が嵌め込まれている。なお、図中１１２は、靴底に装着された複数のソフトスパイクを示す。
【０００４】
図５の靴底は、上記溝１００、１０２、１０４、１０６により、優れた屈曲性および接地性をライの影響を受けずにゴルファーに提供しようとするものである。
【先行技術文献】
【非特許文献】
【０００５】
【非特許文献１】アクシネット ジャパン インク、［footjoy.comHomepage］、［online］、［商品名：フットジョイ  ＤｒｙＪｏｙｓ  Ｔｏｕｒ  Ｂｏａ］、［平成２４年７月２０日検索］、インターネット［URL：http://www.footjoy.jp/catalog/53768］
【発明の概要】
【発明が解決しようとする課題】
【０００６】
図５の靴底は、屈曲性および接地性に優れているものであるが、従来、歩行性およびフィット感をさらに向上させた靴底が望まれていた。
【０００７】
本発明は、上述した事情に鑑みてなされたものであり、足の動きに沿った屈曲性により歩行性およびフィット感を向上させた靴底およびそれを用いた靴を提供することを目的とする。
【課題を解決するための手段】
【０００８】
本発明は、前記目的を達成するため、靴底の底面の前足部に、内側領域から外側領域に延びる第1溝と、前記第1溝の後方に位置し、内側領域から外側領域に延びる第２溝とを有し、前記第1溝は内側領域より外側領域の方が幅広であり、前記第２溝は内側領域より外側領域の方が幅広であることを特徴とする靴底を提供する。
【０００９】
また、本発明は、前記目的を達成するため、上記本発明の靴底を装着したことを特徴とする靴を提供する。
【００１０】
本発明の靴底は、図1に示すように、靴底１０の底面の前足部１２に、内側領域から外側領域に延びる第1溝１４と、第1溝１４の後方に位置し、内側領域から外側領域に延びる第２溝１６とを有する。第1溝１４は、内側領域より外側領域の方が幅広であり、第２溝１６は、内側領域より外側領域の方が幅広である。なお、本明細書において、前足部とは、踏付け部および爪先部を含む部分であって、土踏まず部より前方の部分をいう。
【００１１】
本発明の靴底は、底面の前足部１２に第1溝１４および第２溝１６を形成しているので、前足部１２が屈曲しやすいが、さらに、本発明では、第1溝１４および第２溝１６を、内側領域より外側領域の方を幅広にすることにより、前足部１２の外側領域を内側領域よりも屈曲しやすくしている。そのため、本発明の靴底は、歩行速度の遅速にかかわらず、歩行性およびフィット感を向上させることができる。
【００１２】
本発明の靴底は、図１に示すように、第1溝１４の内端部の幅をＡ、外端部の幅をＢ、第２溝１６の内端部の幅をＣ、外端部の幅をＤとしたときに、Ｄ＞Ｃ＞Ｂ＞Ａの関係、または、Ｄ＞Ｂ＞Ｃ＞Ａの関係を有するものとすることができる。これによって、前足部１２に、特に歩行速度が遅い人の足の動きに沿った屈曲性をより効果的に付与することができる。
【００１３】
本発明においては、図１に示すように、第２溝１６の中心線αは、靴底１０の最前端箇所と最後端箇所とを結ぶ仮想線βに直交する線γに対する傾斜角度θが１０〜１５°である構成とすることができる。上記中心線αは、第２溝１６の内端部の幅方向中心点と外端部の幅方向中心点とを結んだ線である。これによって、前足部１２に、特に歩行速度が遅い人の足の動きに沿った屈曲性をより効果的に付与することができる。
【００１４】
本発明では、図２に示すように、第1溝１４（図中点線で示す）に第1屈曲性調整部材１８が嵌め込まれ、第２溝１６（図中点線で示す）に第２屈曲性調整部材２０が嵌め込まれているとともに、第1屈曲性調整部材１８は内側領域より外側領域の方が幅広であり、第２屈曲性調整部材２０は内側領域より外側領域の方が幅広である構成とすることができる。これによって、両屈曲性調整部材１８、２０で前足部１２の屈曲性を調整し、前足部１２の外側領域が屈曲しすぎることを防止して、靴底１０に、足の動きに沿った強くしなやかな屈曲性を付与して、歩行速度の遅速にかかわらず、歩行性およびフィット感をより向上させることができる。
【００１５】
この場合、図２に示すように、第1屈曲性調整部材１８の内側領域および外側領域ならびに第２屈曲性調整部材２０の内側領域および外側領域の底面に、それぞれ内外方向に沿った溝２２、２４、２６、２８を設けることができる。これによって、前足部１２に足の動きに沿った屈曲性をより効果的に付与することができる。
【００１６】
また、図３に示すように、第1屈曲性調整部材１８および第２屈曲性調整部材２０を、第1溝１４および第２溝１６の外方部１５まで広がっている構成とすることができる。これにより、第1屈曲性調整部材１８および第２屈曲性調整部材２０が靴底から剥離することを防止して、両屈曲性調整部材１８、２０の耐久性を向上させることができる。
【発明の効果】
【００１７】
本発明の靴底は、歩行速度の遅速にかかわらず、歩行性およびフィット感が向上したものである。
【図面の簡単な説明】
【００１８】
【図１】本発明の靴底の一例を示す概略底面図である。
【図２】本発明の靴底の一例を示す概略底面図である。
【図３】靴底の溝に屈曲性調整部材を嵌め込んだ状態を示す模式的断面図である。
【図４】本発明に係る靴底の一実施形態を示す概略底面図である。
【図５】従来の靴底の一例を示す概略底面図である。
【発明を実施するための形態】
【００１９】
以下、本発明を図面に示す実施形態により説明する。図４は本発明に係る靴底の一実施形態を示す概略底面図である。なお、図４は左足用の靴底のみを示しているが、左足用と右足用とは左右対称である。また、図４の左方向が足の内側、右方向が足の外側、図４の上方が足の前側、図４の下方が足の後側である。
【００２０】
図４に示すように、本実施形態の靴底４０は、歩行時に地面と対向する底面４２を具備するアウトソール４４と、アウトソール４４に積層されたミッドソール（図示せず）とを有している。そして、アウトソール４４の表面である底面４２は、前側から後側に向かって順に、前足部４５、土踏まず部４６、後足部４７となっている。なお、ミッドソールの上面には、従来公知の図示しないアッパー部が装着されることで靴、例えばゴルフシューズやウォーキングシューズが形成されるようになっている。また、図中４８は、靴底４０に装着された複数のソフトスパイクを示す。
【００２１】
アウトソール４４およびミッドソールの材質は、従来公知の各種のものから選択することができ、例えば、ＴＰＵ（熱可塑性ポリウレタン）、ゴム、ＥＶＡ（エチレン−酢酸ビニル共重合体）、ウレタン樹脂、ポリオレフィン発泡体、ポリウレタン発泡体等から適宜選択することができる。
【００２２】
本例の靴底４０は、底面４２の前足部４５の外縁部と内縁部との間に、内側領域から外側領域に延びる第1溝５０（図中点線で示す）と、第1溝５０の後方に位置し、内側領域から外側領域に延びる第２溝５２（図中点線で示す）とを有する。また、第1溝５０および第２溝５２は、いずれも、内側領域より外側領域の方が幅広である。
【００２３】
溝５０、５２の断面形状は、本例では、図３に示したような三角形である。ただし、溝５０、５２の断面形状に限定はなく、例えば断面四角形、断面半円形、断面半楕円形等の適宜形状とすることができる。また、第1溝５０および第２溝５２の幅は５〜２０ｍｍ、最大深さは１〜６ｍｍとすることが適当であり、これにより前足部４５に良好な屈曲性を付与することができる。
【００２４】
本例の靴底４０は、第1溝５０に第1屈曲性調整部材５４が嵌め込まれ、第２溝５２に第２屈曲性調整部材５６が嵌め込まれている。ただし、第1屈曲性調整部材５４と第２屈曲性調整部材５６とは連結板５７により連結され、第２屈曲性調整部材５６の後端には突出板５８が形成されており、これら第1屈曲性調整部材５４、第２屈曲性調整部材５６、連結板５７および突出板５８は一体に形成されている。第1屈曲性調整部材５４は、内側領域より外側領域の方が幅広であり、第２屈曲性調整部材５６は、内側領域より外側領域の方が幅広である。
【００２５】
第1屈曲性調整部材５４および第２屈曲性調整部材５６の材質は、ＴＰＵ、ゴム、ＥＶＡ、ウレタン樹脂、ポリオレフィン発泡体、ポリウレタン発泡体等から適宜選択することができるが、前足部４５に良好な屈曲性を付与する点でＴＰＵが特に好ましい。
【００２６】
また、第1屈曲性調整部材５４および第２屈曲性調整部材５６の形状は、第1溝５０および第２溝５２の形状に応じて適宜設定することができる。さらに、第1屈曲性調整部材５４および第２屈曲性調整部材５６の厚さは０．５〜５ｍｍとすることが適当であり、これにより前足部４５に良好な屈曲性を付与することができる。
【００２７】
本例では、第1屈曲性調整部材５４の内側領域および外側領域ならびに第２屈曲性調整部材５６の内側領域および外側領域の底面に、それぞれ内外方向に沿った溝５８、５９、６０、６１を設けてある。溝５８、５９、６０、６１は、底面から見たときに三角形であり、断面は図３に示したような三角形であるが、溝５８、５９、６０、６１の底面形状および断面形状に限定はない。また、溝５８、５９、６０、６１の最大幅は２〜２０ｍｍ、最大深さは１〜６ｍｍとすることが適当であり、これにより前足部４５に良好な屈曲性を付与することができる。
【００２８】
本例の靴底４０は、図１に示したように、第1溝５０の内端部の幅をＡ、外端部の幅をＢ、第２溝５２の内端部の幅をＣ、外端部の幅をＤとしたときに、Ｄ＞Ｃ＞Ｂ＞Ａ、または、Ｄ＞Ｂ＞Ｃ＞Ａの関係を有するようにしてある。
【００２９】
また、本例の靴底４０は、第1屈曲性調整部材５４の内端部の幅をＡａ、外端部の幅をＢｂ、第２屈曲性調整部材５６の内端部の幅をＣｃ、外端部の幅をＤｄとしたときに、Ｄｄ＞Ｃｃ＞Ｂｂ＞Ａａ、または、Ｄｄ＞Ｂｂ＞Ｃｃ＞Ａａの関係を有するようにしてある。
【００３０】
本例の靴底４０は、図１に示したように、第２溝５２の中心線αを、靴底の最前端箇所と最後端箇所とを結ぶ仮想線βに直交する線γに対する傾斜角度θが１０〜１５°である構成としてある。また、本例の靴底４０は、第１溝５０の中心線も、靴底１０の最前端箇所と最後端箇所とを結ぶ仮想線に直交する線に対する傾斜角度が１０〜１５°である構成としてある。ただし、第１溝５０および第２溝５２の中心線は、上記角度としなくてもよい。
【００３１】
本例の靴底は、図３に示したように、第1屈曲性調整部材５４および第２屈曲性調整部材５６が、第1溝５０および第２溝５２の外方部まで広がっている構成を有する。この場合、第1屈曲性調整部材５４の溝５８、５９の最大幅は第1溝５０の幅と同程度とすることが適当であり、第２屈曲性調整部材５６の溝６０、６１の最大幅は第２溝５２の幅と同程度とすることが適当である。
【００３２】
本例の靴底は、下記の作用効果を奏する。
（１）通常の歩行速度において、足部が接地して踏み切りするまでの間、足底圧力中心（Center Of Pressure、以下「ＣＯＰ」という）の軌跡は、踵部から足部外側を通り、足幅を外側から内側へと横切るように進んで母趾部の先端へと移動する。歩行速度が上昇するにしたがってＣＯＰの軌跡は、次第に中心部へと収束する。本発明の靴底４０は、靴底４０の底面の前足部４５に第1溝５０および第２溝５２を形成し、第1溝５０および第２溝５２を、内側領域より外側領域の方を幅広にすることにより、前足部２５の外側領域を内側領域よりも屈曲しやすくして、歩行速度の変化（遅速）に対応することができる構造となっている。これにより歩行速度の遅速にかかわらず、歩行性およびフィット感を向上させている。
（２）両溝５０、５２にそれぞれ屈曲性調整部材５４、５６を装着するとともに、これら両屈曲性調整部材５４、５６を、内側領域より外側領域の方が幅広のものにすることにより、前足部４５の外側領域が屈曲しすぎることを防止して、靴底４０に、足の動きに沿った強くしなやかな屈曲性を付与しており、これによって歩行性およびフィット感を向上させている。
（３）第1溝５０および第２溝５２における前記幅Ａ、Ｂ、Ｃ、Ｄの関係を、Ｄ＞Ｃ＞Ｂ＞Ａ、または、Ｄ＞Ｂ＞Ｃ＞Ａの関係にしたので、前足部４５の足の動きに沿った屈曲性がより向上している。
（４）両屈曲性調整部材５４、５６における前記幅Ａａ、Ｂｂ、Ｃｃ、Ｄｄの関係を、Ｄｄ＞Ｃｃ＞Ｂｂ＞Ａａ、または、Ｄｄ＞Ｂｂ＞Ｃｃ＞Ａａの関係にしたので、前足部４５の足の動きに沿った屈曲性がより向上している。
（５）第２溝５２の前記傾斜角度θを１０〜１５°としたので、前足部４５に足の動きに沿った屈曲性を確実に付与することができる。
（６）第１溝５０の前記傾斜角度を１０〜１５°としたので、前足部４５に足の動きに沿った屈曲性をより確実に付与することができる。
（７）第1屈曲性調整部材５４の底面に溝５８、５９、６０、６１を設けたので、
前足部４５の足の動きに沿った屈曲性がより向上している。
（８）両屈曲性調整部材５４、５６を、両溝５０、５２の外方部まで広がっている構成としたので、両屈曲性調整部材５４、５６の耐久性を向上させることができる。
【００３３】
なお、本発明は、前述した実施形態に限定されるものではなく、必要に応じて種々の変更が可能である。例えば、靴底の底面の前足部における内側領域から外側領域に延びる溝は、３本以上としてもよい。
【符号の説明】
【００３４】
１０  靴底
１２  前足部
１４  第1溝
１６  第２溝
１８  第1屈曲性調整部材
２０  第２屈曲性調整部材
２２、２４、２６、２８  屈曲性調整部材の溝
θ  第２溝の傾斜角度
４０  靴底
４５  前足部
５０  第1溝
５２  第２溝
５４  第1屈曲性調整部材
５６  第２屈曲性調整部材
５８、５９、６０、６１  屈曲性調整部材の溝
【図１】
2014050513.tif 000003
【図２】
2014050513.tif 000004
【図３】
2014050513.tif 000005
【図４】
2014050513.tif 000006
【図５】
2014050513.tif 000007